(57)【要約】【課題】軒樋と軒樋吊具との接触面に接触音低減素材を成形しておくことで、軒樋と軒樋吊具との間で生じる接触音の低減を図ることができるうえ、音鳴り対策に伴う作業にかかる手間や時間を低減することができる。【解決手段】軒樋吊具２に装着されて支持される軒樋１、及び軒樋吊具２の少なくとも一方の部材の接触面に、接触による摩擦、及び変形によって生じる接触音を低減する機能を備えた接触音低減素材Ｋが成形されている構成の軒樋支持構造を提供する。【選択図】図１
2014118747.tif 000002
【特許請求の範囲】
【請求項１】
軒樋吊具に装着されて支持される軒樋、及び軒樋吊具の少なくとも一方の部材の接触面に、接触による摩擦、及び変形によって生じる接触音を低減する機能を備えた接触音低減素材が成形されていることを特徴とする軒樋支持構造。
【請求項２】
前記軒樋の係止部と、前記軒樋吊具の被係止部と、を互いに係止させることで、前記軒樋が前記軒樋吊具に支持され、
前記係止部と前記被係止部との接触面に前記接触音低減素材が成形されていることを特徴とする請求項１に記載の軒樋支持構造。
【請求項３】
前記接触音低減素材により成型されていることを特徴とする請求項１又は２に記載の軒樋支持構造。
【請求項４】
前記接触音低減素材は、ダブルインジェクション成形により前記部材に設けられていることを特徴とする請求項１又は２に記載の軒樋支持構造。
【請求項５】
前記接触音低減素材は、共押出成形により前記部材に設けられていることを特徴とする請求項１又は２に記載の軒樋支持構造。
【請求項６】
前記接触音低減素材は、インライン加工又は後加工によりテープ状に形成したものを貼着させることで前記部材に設けられていることを特徴とする請求項１又は２に記載の軒樋支持構造。
【発明の詳細な説明】
【技術分野】
【０００１】
本発明は、家屋の軒先に設置される軒桶と、その軒樋を支持するための軒樋吊具と、を有する構成からなる軒樋支持構造に関する。
【背景技術】
【０００２】
従来、軒樋及び軒樋吊具は、屋根からの雨水を受ける軒樋を固定するために軒樋吊具を使用している（例えば、特許文献１参照）。
一般に、軒樋吊具は、鼻隠し板に固定する取付部と、この取付部から突出し軒樋を支持する軒樋支持部と、を備えた外吊り式の構成のものがあり、この場合、軒樋支持部の基端側係止部と先端側係止部に、断面略Ｕ字状の軒樋の耳部を片方ずつ係止させて、軒樋を軒先に設置させる構成となっている。
【０００３】
また、このような軒樋吊具は、軒樋および積雪等で軒樋にかかる荷重を支えるために、強度の高い金属やポリカーボネートからなる部材により形成されている。
【先行技術文献】
【特許文献】
【０００４】
【特許文献１】特開２００４−２３２２４１号公報
【発明の概要】
【発明が解決しようとする課題】
【０００５】
しかしながら、軒樋吊具は、軒樋の耳部を各係止部に係止させるため、気温の変化に伴って軒樋に熱収縮が生じると、軒樋が軒樋吊具と接触した状態のままゆっくりと変形し、この軒樋の変形に追従して軒樋吊具が追従して弾性変形し、更に軒樋が揺動すること等によって前記弾性変形が解かれた際に、該軒樋支持部が弾性復帰して、特に先端側の係止部と軒樋の耳部との間で摩擦音、及び跳ね返り音を発生させることがあり、家屋の居住者にとっての不快音の原因となっていた。
【０００６】
とくに、従来の場合、例えばポリ塩化ビニル（ＰＶＣ）製の軒樋と、ポリカーボネート製の軒樋吊具の組み合わせの場合において、接触箇所で軋み音が発生するという問題があった。そこで、軒樋吊具と軒樋とが接触する部分に金属テープを貼着したり、金属部材を嵌めるといった対策が行われているが、このような対策を製品成型後に実施するには手間と時間がかかることから、その点で改良の余地があった。
【０００７】
そこで、本発明は、上述する問題点に鑑みてなされたもので、軒樋と軒樋吊具との接触面に接触音低減素材を成形しておくことで、軒樋と軒樋吊具との間で生じる接触音の低減を図ることができるうえ、音鳴り対策に伴う作業にかかる手間や時間を低減することができる軒樋支持構造を提供することを目的としている。
【課題を解決するための手段】
【０００８】
上記目的を達成するため、本発明に係る軒樋支持構造では、軒樋吊具に装着されて支持される軒樋、及び軒樋吊具の少なくとも一方の部材の接触面に、接触による摩擦、及び変形によって生じる軋み音等の接触音を低減する機能を備えた接触音低減素材が成形されていることを特徴としている。
【０００９】
本発明では、軒樋、及び軒樋吊具の少なくとも一方の部材の接触面に接触音低減素材が成形されているので、軒樋の熱収縮に伴う軒樋吊具の弾性変形を抑えることが可能となる。そのため、軒樋が揺動すること等によって前記弾性変形が解かれ、軒樋吊具が弾性復帰する際に生じる摩擦音、及び跳ね返り音を低減することができ、居住者にとっての不快音を抑えることができる。この場合、軒樋、及び軒樋吊具の製作時に、予め前記接触面に接触音低減素材が位置するようにして成形することが可能となる。そのため、従来のような軒樋と軒樋吊具との接触による音鳴り対策を施す作業を行う必要がなくなることから、このような音鳴り対策に伴う作業にかかる手間や時間を低減することができる。
【００１０】
また、前記接触音低減素材は軒樋、及び軒樋吊具のいずれか一方の部材のみに設けることでも前述の接触音の低減を図る効果が得られるので、軒樋の軒樋吊具との接触面に接触音低減素材を成形することで、従来の軒樋吊具を用いて接触音を低減することが可能となる。
【００１１】
また、本発明に係る軒樋支持構造は、前記軒樋の係止部と、前記軒樋吊具の被係止部と、を互いに係止させることで、前記軒樋が前記軒樋吊具に支持され、前記係止部と前記被係止部との接触面に前記接触音低減素材が成形されていることが好ましい。
【００１２】
上記構成からなる軒樋支持構造では、軒樋、及び軒樋吊具の少なくとも一方の部材の前記接触面のみに部分的に接触音低減素材が形成されていればよいので、効率よく接触音低減素材を配置することができ、接触音低減素材の使用量を抑えることができ、製作時のコストや手間を低減することができる利点がある。
【００１３】
また、本発明に係る軒樋支持構造は、前記接触音低減素材により成型されることが好ましい。
【００１４】
この場合には、軒樋吊具の全部を接触音低減素材で成型することができ、または接触部分を含む部材を接触音低減素材で成型し、その他の部材と合わせて軒樋吊具を組み立てることもできる。
【００１５】
また、本発明に係る軒樋支持構造は、前記接触音低減素材は、ダブルインジェクション成形により前記部材に設けられていることが好ましい。
【００１６】
この場合には、軒樋吊具が例えばポリカーボネートから形成される場合に、ダブルインジェクション成形により接触面に接触音低減素材を成形することができる。
【００１７】
また、本発明に係る軒樋支持構造は、前記接触音低減素材は、共押出成形により前記部材に設けられていることが好ましい。
【００１８】
この場合には、軒樋が例えばポリ塩化ビニルから形成される場合に、共押出成形により接触面に接触音低減素材を成形することができる。
【００１９】
また、本発明に係る軒樋は、前記接触音低減素材は、インライン加工又は後加工によりテープ状に形成したものを貼着させることで前記部材に設けられていることが好ましい。
【００２０】
この場合には、インライン加工又は後加工によりテープ状の接触音低減素材を部材の接触面に貼着する成形を行うことができる。
【発明の効果】
【００２１】
本発明に係る軒樋支持構造は、軒樋と軒樋吊具との接触面に接触音低減素材を成形しておくことで、軒樋と軒樋吊具との間で生じる接触音の低減を図ることができるうえ、音鳴り対策に伴う作業にかかる手間や時間を低減することができる。
【図面の簡単な説明】
【００２２】
【図１】本発明の実施の形態による軒樋支持構造を示す縦断面図である。
【図２】図１に示す軒樋の縦断面図である。
【図３】図１に示す軒樋吊具の縦断面図である。
【発明を実施するための形態】
【００２３】
以下、本発明による軒樋支持構造の実施の形態について図面を用いて説明する。なお、本発明は、この実施の形態により限定されるものではなく、また、下記の実施の形態における構成要素には、当業者が置換可能かつ容易なもの、あるいは実質的に同一ものも含まれる。
【００２４】
図１は、本発明の実施の形態として示した軒樋吊具２に軒樋１を吊下させた状態を示している。図１に示すように、軒樋支持構造は、軒樋吊具２に装着されて支持される軒樋１と、軒樋吊具２とのそれぞれの接触面に、接触による摩擦、及び変形によって生じる接触音を低減する機能を備えた接触音低減素材Ｋ（図１で部材外周側のハッチング部分、及び太線部分）を成形により設けられた構成となっている。
【００２５】
ここで、本実施の形態において、家屋の鼻隠し板（図示省略）の延在する方向（図１で紙面に直交する方向）を左右方向とし、鼻隠し板の板面に接近又は離間する方向を前後方向Ｘとし、鼻隠し板から離間する方向を前方、鼻隠し板側に接近する方向を後方として、以下説明する。
【００２６】
図２に示すように、軒樋１は、軒先の先端に沿ってその下方に配置されるものであり、左右方向に沿って延在する底壁１１と、底壁１１の前後方向Ｘの両端（前端１１ａ、後端１１ｂ）から立設された前面壁１２Ａ及び後面壁１２Ｂと、を備えている。
【００２７】
軒樋１は、例えばポリ塩化ビニル（ＰＶＣ）やポエチレン等の合成樹脂から形成されており、前記軒樋吊具２との接触面（詳しい接触部位については後述する）に接触音低減素材Ｋが共押出成形により成形されている。この接触音低減素材Ｋとしては、例えば、「ハッシュロイ（テクノポリマー社製）」等を用いることができる。なお、図２において、接触音低減素材Ｋが成形されている部分の外周面を太線で示している。
【００２８】
前面壁１２Ａには、下壁１２１の上端と上壁１２２の下端とが補強部１３を介して連結され、上壁１２２が下壁１２１よりも前側に位置している。補強部１３は、中空部を形成する二重壁構造をなしている。
【００２９】
前面壁１２Ａの上端部には、軒樋吊具２に係止させる前面側耳部１４（係止部）が設けられている。
前面側耳部１４は、前面壁１２Ａ（上壁１２２）の上端縁内面から後方に向けて突出した後、下方に折曲して形成された折返し部１４１と、折返し部１４１の下方において後方に向けて膨出した支持部１４２と、を備えており、これら折返し部１４１と支持部１４２との間には溝部１４３が形成されている。溝部１４３は、その側面視したときの輪郭が前側に突となる半円弧状となるように形成されている。また、折返し部１４１は、溝部１４３の上方の一部を覆うように延出している。この前面側耳部１４は、前面壁１２Ａの左右方向に沿って延在している。
【００３０】
そして、前面側耳部１４には、溝部１４３の上半部分１４３ａ及び折返し部１４１の係止面１４１ａに、全面にわたって上述した接触音低減素材Ｋが成形されている。
【００３１】
後面壁１２Ｂの上端部には、軒樋吊具２に係止される後面側耳部１５（係止部）が設けられている。
後面側耳部１５は、後面壁１２Ｂの上端縁内面から前方に向けて突出するように形成されているとともに、左右方向に延在している。
そして、後面側耳部１５の係止下面１５ａには、全面にわたって上述した接触音低減素材Ｋが成形されている。
【００３２】
図３に示すように、軒樋吊具２は、軒樋１の延在方向に適宜な間隔をおいて配置され、複数の軒樋吊具２によって軒樋１を支持している。具体的に軒樋吊具２は、鼻隠し板に固定される取付部２１と、該取付部２１から前方に向かって突出し、軒樋１を吊下させる軒樋支持部２２とを備えている。
【００３３】
取付部２１は、例えば正面視で略Ｔ字形の板状に形成されており、平坦面とされた取付面２１ａを鼻隠し板の前面に当接させ、ビス等の固定具（図示省略）によって該鼻隠し板に固定されている。
【００３４】
軒樋支持部２２は、取付部２１の上部から前方に向けて突出し、前後方向の中央部が下方に湾曲して凹むように形成された上面視で略短冊形の板状の上壁部２３と、この上壁部２３の先端部に形成された先端側係止部２４（被係止部）と、先端側係止部２４の下方から取付部２１に向けて延在する底面視略短冊形の板状の下壁部２５と、下壁部２５の基端側部に設けられた基端側係止部２６（被係止部）と、基端側係止部２６の上面から上方に向かって延出した後、屈曲して取付部２１に結合される基端壁部２７と、これら上壁部２３、下壁部２５及び基端壁部２７からこれらの内方に張り出すように形成された補強壁部２８と、を備えている。
【００３５】
軒樋吊具２は、例えばポリカーボネートから形成されており、軒樋１との接触面に接触音低減素材Ｋが共押出成形により成形されている。この接触音低減素材Ｋは、上述した軒樋１に成形される材料を同様のものが使用されるため、ここでは詳しい説明を省略する。なお、図３において、接触音低減素材Ｋが成形されている部分の外周面を太線で示している。
【００３６】
先端側係止部２４は、上壁部２３の先端部を上方に屈曲させてフック状とされ、軒樋１の前面側耳部１４の溝部１４３に係止するように形成されている。
また、先端側係止部２４の前記溝部１４３に当接する側の係止壁面２４ａは、該溝部１４３の形状に沿って円筒面を半割にした形状、すなわち側面視円弧状に形成されている。
【００３７】
下壁部２５には、先端側係止部２４の下側部分に前側に向けて突出する突部２５１が形成されている。先端側係止部２４と突部２５１との間には、図２に示す軒樋１の前面側耳部１４の支持部１４２が緩やかに係合する凹部２５ａが形成されている。
【００３８】
そして、先端側係止部２４の係止壁面２４ａ及び突部２５ａには、それらの全面にわたって上述した接触音低減素材Ｋが成形されている。なお、本実施の形態では、前記係止壁面２４ａに成形される接触音低減素材Ｋは、この先端側係止部２４の先端後面に回り込んだ部分まで成形されている。
【００３９】
基端側係止部２６は、図２に示す軒樋１の後面側耳部１５を上面２６ａに係止させるよう後方側に突出した下壁部２５の後端部に位置している。そして、基端側係止部２６の上面２６ａと基端壁部２７の後面とによって凹状部分２９が形成されている。この凹状部分２９には、図１に示すように、図２に示す軒樋１の後面側耳部１５が嵌合され、この嵌合により後面側耳部１５の係止下面１５ａが基端側係止部２６の上面２６ａに上側から当接した状態で係止する。
【００４０】
そして、図３に示すように、前記凹状部分２９には、全面にわたって上述した接触音低減素材Ｋが成形されている。なお、本実施の形態では、基端側係止部２６に成形される接触音低減素材Ｋは、基端側係止部２６の上面２６ａから下面側に回り込んだ部分まで成形されている。
【００４１】
次に、上述した軒樋支持構造による軒樋１の軒樋吊具２への取付け方法、及び軒樋支持構造の作用効果について、図１に基づいて説明する。
先ず、鼻隠し板の一端側から所定の間隔をおいて、複数の軒樋吊具２の取付部２１を鼻隠し板に配置し、ビス等で順次固定していく。次いで、軒樋吊具２を鼻隠し板の所定位置に固定したら、軒樋１の後面側耳部１５を軒樋吊具２の基端側係止部２６に掛止させる。
そして、この状態で、軒樋１の前面壁１２Ａを弾性変形させて前方側に傾けつつ、前面側耳部１４の溝部１４３を複数の軒樋吊具２、２、…の先端側係止部２４、２４、…に順次係止させて軒樋１の軒樋吊具２への吊下が完了となる。
【００４２】
上記のようにして軒樋吊具２に吊下された軒樋１は、軒樋１の前面側耳部１４が軒樋吊具２の先端側係止部２４に係止し、軒樋１の後面側耳部１５が軒樋吊具２の基端側係止部２６の上面２６ａに係止している。
【００４３】
このように、本実施の形態では、軒樋１、及び軒樋吊具２の接触面に接触音低減素材Ｋが成形されているので、軒樋１の熱収縮に伴う軒樋吊具２の弾性変形を抑えることが可能となる。そのため、軒樋１が揺動すること等によって前記弾性変形が解かれ、軒樋吊具２が弾性復帰する際に生じる摩擦音、及び跳ね返り音を低減することができ、居住者にとっての不快音を抑えることができる。
この場合、軒樋１、及び軒樋吊具２の製作時に、予め前記接触面に接触音低減素材Ｋが位置するようにして成形することが可能となる。そのため、従来のような軒樋１と軒樋吊具２との接触による音鳴り対策を施す作業を行う必要がなくなることから、このような音鳴り対策に伴う作業にかかる手間や時間を低減することができる。
【００４４】
また、本実施の形態では、軒樋１及び軒樋吊具２の接触面のみに部分的に接触音低減素材Ｋが成形されていればよいので、効率よく接触音低減素材Ｋを配置することができ、接触音低減素材Ｋの使用量を抑えることができ、製作時のコストや手間を低減することができる利点がある。
【００４５】
さらに、軒樋１が例えばポリ塩化ビニルから形成される場合には、共押出成形により接触面に接触音低減素材Ｋを成形することができる。
なお、軒樋吊具２は、ポリカーボネートから形成されるので、射出成形とされ、インラインでの成型により接触音低減素材Ｋを導入するには、共押出成形ではなく、ダブルインジェクション成形により成形される。
【００４６】
さらにまた、ポリ塩化ビニル製の軒樋１、及びポリカーボネート製の軒樋吊具２は、それぞれインライン加工又は後加工によりテープ状の接触音低減素材Ｋを部材の接触面に貼着する成形を行うことができ、効率よく接触音低減素材Ｋを設けることが可能である。ここで、インライン加工及び後加工は、素材に関わらず行うことができる。なお、テープ状の接触音低減素材Ｋを張り付ける場合は、成型のし易さから、軒樋吊具２へのインラインでの加工より後加工で行う方が好ましい。
【００４７】
上述のように本実施の形態による軒樋支持構造では、軒樋１と軒樋吊具２との接触面に接触音低減素材Ｋを成形しておくことで、音鳴り対策に伴う作業にかかる手間と時間を低減することができ、作業効率の向上を図ることができる。
【００４８】
以上、本発明による軒樋支持構造の実施の形態について説明したが、本発明は上記の実施の形態に限定されるものではなく、その趣旨を逸脱しない範囲で適宜変更可能である。
【００４９】
例えば、上述の本実施の形態では、接触音低減素材Ｋを軒樋１、及び軒樋吊具２の両方に設けているが、これに限定されることはなく、軒樋１、及び軒樋吊具２のいずれか一方の部材のみに設けることでも前述の接触音の低減を図る効果を得ることができる。そのため、軒樋１の軒樋吊具２との接触面に接触音低減素材Ｋを設けることで、従来の軒樋吊具を用いて接触音を低減することが可能となる。
また、接触音低減素材Ｋを設ける部位も上述した実施の形態の限定されることはない。例えば、本実施の形態では、軒樋１において、側耳部１４の溝部１４３の上半部分１４３ａ、折返し部１４１の係止面１４１ａ、及び後面側耳部１５の係止下面１５ａに接触音低減素材Ｋが成形されているが、これらの部位に加えて溝部１４３全体や支持部１４２、後面側耳部１５の全面に接触音低減素材Ｋが成形されていても良い。
【００５０】
また、本実施の形態では軒樋吊具２がポリ塩化ビニルから形成された一例を示しているが、軒樋吊具が例えば強度の高い金属やポリカーボネートから形成されているものを採用することも可能であり、この場合、ダブルインジェクション成形により軒樋１との接触面に接触音低減素材Ｋを成形することができる。
【００５１】
また、本実施の形態では、軒樋１及び軒樋吊具２のそれぞれの接触部分に限って部分的に接触音低減素材Ｋが設けられているが、それぞれの部材の全体に接触音低減素材Ｋを用いることも可能である。例えば、軒樋吊具２が組立型（金属部材とポリカーボネート材との組立構成）において、ポリカーボネート部分のみを接触音低減素材Ｋで成型されているものであってもかまわない。
さらに、軒樋吊具２は、本実施の形態ではポリカーボネートから形成されているが、この素材であることに限定されず、塩化ビニル樹脂等の樹脂材料や金属であってもかまわない。
【００５２】
その他、本発明の趣旨を逸脱しない範囲で、上記した実施の形態における構成要素を周知の構成要素に置き換えることは適宜可能である。
【符号の説明】
【００５３】
１  軒樋
２  軒樋吊具
１２Ａ  前面壁
１２Ｂ  後面壁
１４  前面側耳部（係止部）
１５  後面側耳部（係止部）
１５ａ  係止下面
２１  取付部
２２  軒樋支持部
２４  先端側係止部（被係止部）
２４ａ  係止壁面
２６  基端側係止部（被係止部）
２６ａ  上面
２７  基端壁部
２９  凹状部分
Ｋ  接触音低減素材
Ｘ  前後方向
【図１】
2014118747.tif 000003
【図２】
2014118747.tif 000004
【図３】
2014118747.tif 000005